(57)【要約】【課題】  誤って回動柵を引き上げる力が作用しても、回動柵が引き上げられて不用意に回動するようなことを防ぐようにする。【解決手段】  受け筒２内に固着された嵌合受け部材５と、回動柵６に固着された嵌合部材９を備える。嵌合部材９を受け筒２の上端部内に挿着して回動柵６を受け筒２に支持し、嵌合部材９を下動させて嵌合受け部材５に嵌合させた状態では回動柵６の水平回動を不能にすると共に嵌合部材９を上動させて嵌合受け部材５との嵌合を外した状態では回動柵６を水平回動自在にする。嵌合部材９に従って受け筒２内を上下動する係合具１０を設けると共に受け筒２に係合用孔１１を設け、操作レバー１２の操作によって係合用孔１１から受け筒２内に出し入れされる係合爪１３を突設し、受け筒２内に差し入れられた係合爪１３の先部を、嵌合受け部材５に嵌合部材９が嵌合する下動位置の係合具１０の上に位置させるようにした。【選択図】  図１
2006021015.tif 000002
【特許請求の範囲】
【請求項１】
固定柵に固着される上端開口の受け筒と、受け筒内に固着され上面に複数の凹部と凸部が周方向に交互に形成された嵌合受け部材と、回動柵に固着され下面に上記嵌合受け部材の凹部と凸部に噛合自在な複数の凸部と凹部が周方向に交互に形成された嵌合部材とを備え、嵌合部材を受け筒の上端部内に上下動自在且つ水平方向に回動自在に挿着して回動柵を受け筒に支持し、嵌合部材を下動させて嵌合受け部材の凹部と凸部に嵌合部材の凸部と凹部を嵌合させた状態では回動柵の水平回動を不能にすると共に嵌合部材を上動させて嵌合受け部材の凹部と凸部から嵌合部材の凸部と凹部の嵌合を外した状態では回動柵を水平回動自在にするようにした角度可変回動柵の回動ロック機構において、嵌合部材の上下動及び水平回動に従って受け筒内を上下動及び水平回動する係合具を嵌合部材に連結して設け、嵌合受け部材の凹部と凸部に嵌合部材の凸部と凹部が嵌合する状態での係合具の位置より上側の位置において受け筒の側面に内外に開口する係合用孔を穿設し、受け筒の外側面に操作レバーを設けると共に操作レバーの操作によって係合用孔から受け筒内に出し入れされる係合爪を操作レバーに突設し、係合用孔から受け筒内に差し入れられた係合爪の先部を下動位置の係合具の上に位置させるようにして成ることを特徴とする角度可変回動柵の回動ロック機構。
【請求項２】
受け筒の外面に操作レバーを揺動回動自在に取り付け、係合爪が係合用孔から受け筒内に差し入れられる回動方向に操作レバーを弾性体で回動付勢して成ることを特徴とする請求項１に記載の角度可変回動柵の回動ロック機構。
【請求項３】
操作レバーを受け筒に沿って縦に配置すると共に縦方向で揺動回動自在にして成ることを特徴とする請求項２に記載の角度可変回動柵の回動ロック機構。
【請求項４】
受け筒内に下面が上動規制係止面となった上動規制部と、上動規制係止面より下側の位置において左右両側面がそれぞれ回動規制係止面となった回動規制部をそれぞれ設け、上記係合具に、嵌合受け部材の凹部と凸部から嵌合部材の凸部と凹部の嵌合が外れる係合具の上動位置で上面が上動規制部の上動規制係止面に当接して係止されると共に、係合具の所定角度の回動位置で両側の側面が回動規制部の回動規制係止面に当接して係止される係止片を設けて成ることを特徴とする請求項１乃至３のいずれかに記載の角度可変回動柵の回動ロック機構。
【請求項５】
固定柵と、固定柵に固着した受け筒に水平回動自在に取り付けた回動柵とを備えた角度可変回動柵において、請求項１乃至４のいずれかに記載の回動ロック機構を備えて成ることを特徴とする角度可変回動柵。
【請求項６】
請求項５に記載の角度可変回動柵をベッド本体部の側部に備えて成ることを特徴とするベッド。
【発明の詳細な説明】
【技術分野】
【０００１】
本発明は、病院のベッドや家庭の介護用のベッドなど、主としてベッドの側柵に使用される角度可変回動柵の回動ロック機構に関するものであり、またこの回動ロック機構を備えた角度可変回動柵及び、この角度可変回動柵を側柵として備えたベッドに関するものである。
【背景技術】
【０００２】
病院や家庭において介護用などに使用されるベッドＡは、布団などの脱落防止や、患者の落下を防止するために、図９のように側柵Ｂを取り付けることができるようになっている。この側柵Ｂは、ベッドＡの本体部２２の側部に設けられたサイドフレーム２３に固定的に取り付けられる固定柵１と、固定柵１の一端に水平回動自在に設けられる回動柵６とから形成されている。この回動柵６は患者がベッドＡに昇り降りする際の邪魔にならないように、またベッドＡの昇り降りの際に掴まる手摺りとして利用できるように、図９（ａ）から図９（ｂ）へのように水平回動自在になっている。
【０００３】
そして回動柵６を手摺りとして利用するためには、回動柵６が所定角度で水平回動された位置に固定する必要がある。このために従来では、レバーの締め付けで回動柵６が回動しないように固定し、またレバーを緩めることによって回動柵６を自由に水平回動できるようにすることが行なわれている（例えば、特許文献１等参照）。
【０００４】
しかし、上記のようにレバーの締め付けで回動柵６を固定する方式では、レバー操作に強い力が必要であり、レバーの締め付けが不十分であると回動柵６が容易に回動して、回動柵６を手摺りとして利用する際に不意に回動柵６が動く危険がある。従ってレバー方式は体が不自由で力の弱い患者が操作するのには適していない。
【０００５】
また、ねじを締め付けて回動柵６を固定する方式もあるが、この場合も同様に、ねじの締め付けに強い力が必要であり、締め付けが不十分であると回動柵６が容易に回動する危険がある。特に指先が自由に使えない患者には操作をすることができない。
【０００６】
そこで、このような締め付けによって回動柵６を固定する方式ではない、落とし込み方式が検討されている。落とし込み方式は嵌合手段を用いるようにしたものであり、回動柵６を引き上げることによって嵌合手段の嵌合が外れて回動柵６を自由に水平回動させることができ、また回動柵６を降ろして落とし込むことによって嵌合手段が嵌合して回動柵６が固定されるようにしたものである（後述の図１（ａ）及び図１（ｃ）の嵌合受け部材５と嵌合部材９からなる嵌合手段の機構を参照）。
【０００７】
この落とし込み方式では、回動柵６を持ち上げるだけで水平回動させることができるので、力が弱くまた指先を自由に使えない患者でも容易に操作をすることができ、また回動柵６を降ろして落とし込むだけで、回動柵６が回動しない状態に固定することができ、回動柵６を手摺りとして利用する際に回動柵６が動くような危険を少なくすることができるものである。
【特許文献１】特開２００３−５２７６３号公報
【発明の開示】
【発明が解決しようとする課題】
【０００８】
しかしながら、上記の落とし込み方式の場合、回動柵６を降ろして落とし込むことによって、嵌合手段が嵌合して回動柵６の回動を固定するようにしているものであるので、例えば回動柵６を手摺りとして利用して握っているときに、体の動きなどに伴って回動柵６が誤って引き上げられると、嵌合手段の嵌合が外れてしまうおそれがあるという問題を有するものであった。
【０００９】
本発明は上記の点に鑑みてなされたものであり、回動柵を引き上げることによって回動することができると共に回動柵を降ろすことよって所定の角度で回動した位置に固定することができ、しかも誤って回動柵を引き上げる力が作用しても、回動柵が引き上げられて回動するようなことを防ぐことができる角度可変回動柵の回動ロック機構を提供することを目的とするものである。
【課題を解決するための手段】
【００１０】
本発明の請求項１に係る角度可変回動柵の回動ロック機構は、固定柵１に固着される上端開口の受け筒２と、受け筒２内に固着され上面に複数の凹部３と凸部４が周方向に交互に形成された嵌合受け部材５と、回動柵６に固着され下面に上記嵌合受け部材５の凹部３と凸部４に噛合自在な複数の凸部７と凹部８が周方向に交互に形成された嵌合部材９とを備え、嵌合部材９を受け筒２の上端部内に上下動自在且つ水平方向に回動自在に挿着して回動柵６を受け筒２に支持し、嵌合部材９を下動させて嵌合受け部材５の凹部３と凸部４に嵌合部材９の凸部７と凹部８を嵌合させた状態では回動柵６の水平回動を不能にすると共に嵌合部材９を上動させて嵌合受け部材５の凹部３と凸部４から嵌合部材９の凸部７と凹部８の嵌合を外した状態では回動柵６を水平回動自在にするようにした角度可変回動柵の回動ロック機構において、嵌合部材９の上下動及び水平回動に従って受け筒２内を上下動及び水平回動する係合具１０を嵌合部材９に連結して設けると共に、受け筒２の側面に内外に開口する係合用孔１１を設け、受け筒２の外側面に操作レバー１２を設けると共に操作レバー１２の操作によって係合用孔１１から受け筒２内に出し入れされる係合爪１３を操作レバー１２に突設し、係合用孔１１から受け筒２内に差し入れられた係合爪１３の先部を、嵌合受け部材５の凹部３と凸部４に嵌合部材９の凸部７と凹部８が嵌合する下動位置の係合具１０の上に位置させるようにして成ることを特徴とするものである。
【００１１】
この発明によれば、回動柵６を引き上げて嵌合部材９を上動させることによって、嵌合受け部材５の凹部３と凸部４から嵌合部材９の凸部７と凹部８の嵌合を外して、回動柵６を自由に水平回動することができると共に、回動柵６を降ろして嵌合部材９を下動させることによって、嵌合受け部材５の凹部３と凸部４に嵌合部材９の凸部７と凹部８を嵌合させて、回動柵６を所定の角度で回動した位置に固定することができるものであり、また操作レバー１２を操作して係合爪１３を係合用孔１１から受け筒２内に差し入れて下動位置の係合具１０の上に位置させることによって、係合具１０が係合爪１３に係合して上動しないようにすることができ、誤って回動柵６を引き上げる力が作用しても、回動柵６が引き上げられて嵌合受け部材５の凹部３と凸部４から嵌合部材９の凸部７と凹部８の嵌合が外れることを防いで、回動柵６が回動しない固定状態に確実に保持することができるものである。
【００１２】
また請求項２の発明は、請求項１において、受け筒２の外面に操作レバー１２を揺動回動自在に取り付け、係合爪１３が係合用孔１１から受け筒２内に差し入れられる回動方向に操作レバー１２を弾性体１４で回動付勢して成ることを特徴とするものである。
【００１３】
この発明によれば、係合爪１３が係合具１０に係合して回動柵６が引き上げられないようにする状態に、弾性体１４の付勢力で保持することができるものであり、回動柵６が回動しない固定状態に確実に保持することができるものである。また操作レバー１２を弾性体１４による付勢方向と逆方向に回動させることによって、係合具１０に対する係合爪１３の係合を外すことができ、回動柵６を回動させるために引き上げる操作を容易に行なうことができるものである。
【００１４】
また請求項３の発明は、請求項２において、操作レバー１２を受け筒２に沿って縦に配置すると共に縦方向で揺動回動自在にして成ることを特徴とするものである。
【００１５】
この発明によれば、操作レバー１２が受け筒２から側方に大きくはみ出して突出することがなくなって、邪魔になることがなくなるものであり、また操作レバー１２の回動操作方向が縦方向になって左右勝手がなくなり、操作がし易くなるものである。
【００１６】
また請求項４の発明は、請求項１乃至３のいずれかにおいて、受け筒２内に下面が上動規制係止面１５となった上動規制部１６と、上動規制係止面１５より下側の位置において左右両側面がそれぞれ回動規制係止面１７となった回動規制部１８をそれぞれ設け、上記係合具１０に、嵌合受け部材５の凹部３と凸部４から嵌合部材９の凸部７と凹部８の嵌合が外れる係合具１０の上動位置で上面が上動規制部１６の上動規制係止面１７に当接して係止されると共に、係合具１０の所定角度の回動位置で両側の側面が回動規制部１８の回動規制係止面１７に当接して係止される係止片１９を設けて成ることを特徴とするものである。
【００１７】
この発明によれば、係合具１０に設けた係止片１９が上動規制部１６の上動規制係止面１５に係止されることによって、嵌合部材９の上動位置を規制し、嵌合部材９が受け筒２から外れて回動柵６が固定柵１から外れることを防止できると共に、係止片１９が回動規制部１８の回動規制係止面１７に係止されることによって、嵌合部材９の回動角度を規制し、回動柵６が回され過ぎることを防止できるものであり、係合具１０を利用して回動柵６の抜け止めと回動角度の規制を同時に行なうことができるものである。
【００１８】
また本発明の請求項５に係る角度可変回動柵は、固定柵１と、固定柵１に固着した受け筒２に水平回動自在に取り付けた回動柵６とを備えた角度可変回動柵において、請求項１乃至５に記載の回動ロック機構を備えて成ることを特徴とするものである。
【００１９】
この発明によれば、誤って回動柵６を引き上げる力が作用しても、回動柵６が回動しない固定状態に確実に保持することができる角度可変回動柵を提供することができる。
【００２０】
また請求項６に係るベッドは、請求項５に記載の角度可変回動柵をベッド本体部２２の側部に備えて成ることを特徴とするものである。
【００２１】
この発明によれば、誤って回動柵６を引き上げる力が作用しても回動柵６が回動しない固定状態に保持できる角度可変回動柵を側柵として設けたベッドを提供することができる。
【発明の効果】
【００２２】
本発明によれば、回動柵６を引き上げて嵌合部材９を上動させることによって、嵌合受け部材５の凹部３と凸部４から嵌合部材９の凸部７と凹部８の嵌合を外して、回動柵６を自由に水平回動することができると共に、回動柵６を降ろして嵌合部材９を下動させることによって、嵌合受け部材５の凹部３と凸部４に嵌合部材９の凸部７と凹部８を嵌合させて、回動柵６を所定の角度で回動した位置に固定することができる。また操作レバー１２を操作して係合爪１３を係合用孔１１から受け筒２内に差し入れて下動位置の係合具１０の上に位置させることによって、係合具１０が係合爪１３に係合して上動しないようにすることができ、誤って回動柵６を引き上げる力が作用しても、回動柵６が引き上げられて嵌合受け部材５の凹部３と凸部４から嵌合部材９の凸部７と凹部８の嵌合が外れることを防いで、回動柵６が回動しない固定状態に確実に保持することができる。
【発明を実施するための最良の形態】
【００２３】
以下、本発明を実施するための最良の形態を説明する。
【００２４】
図８は固定柵１と回動柵６からなる角度可変回動柵で形成した側柵Ｂを示すものであり、縦に配置された受け筒２の固定板２８を固定柵１の一側端部に溶接等して固定し、受け筒２に回動柵６の一端を水平回動自在に支持することによって、側柵Ｂを形成するようにしてある。固定柵１の下端には支柱２４を介して水平ベース２５が設けてあり、そして、図９に示すように、ベッドＡのマットレス等の寝具２６が敷かれる本体部２２の側部に固定されたサイドフレーム２３に、水平ベース２５の下端に突設した固定ピン２７を挿着固定することによって、サイドフレーム２３で支持して側柵ＢをベッドＡの側部に沿って取り付けるようにしてある。角度可変回動柵で形成される側柵ＢをベッドＡの側部に取り付けることによって、布団などの脱落防止や、患者の落下を防止することができるものである。
【００２５】
受け筒２は上下に開口する円筒形に形成されるものであり、その上部の外面に固定板２８が溶接等で取り付けてある。そして図３（ａ）に示すように、受け筒２の上部内に嵌合受け部材５が固着して取り付けてある。嵌合受け部材５は中央に上下に開口する通し孔３０を設けた円筒形に形成されるものであり、嵌合受け部材５の上面には凹部３と凸部４が設けてある。凹部３と凸部４は、図３（ｂ）に示すように、嵌合受け部材５の周方向に沿って凹部３と凸部４が交互に繰り返すように複数ずつ設けられているものであり、凹部３や凸部４の側面は鉛直面に形成してある。図３（ｂ）の実施の形態では、凹部３や凸部４は例えばそれぞれ４５°の位相角度で形成されるようにしてある。
【００２６】
受け筒２の中央部内には、図３（ａ）のように、嵌合受け部材５の下側において円筒状の規制筒３１が固着して設けてある。規制筒３１の下端の固定板２８が存在する側の縁部には下方へ回動規制部１８が突出してあり、図３（ｃ）に示すようにこの回動規制部１８の両側の側端面を回動規制係止面１７としてある。また回動規制部１８以外の規制筒３１の下端部は上動規制部１６となるものであり、上動規制部１６の下面、すなわち回動規制部１８以外の規制筒３１の下端面は上動規制係止面１５としてある。
【００２７】
また受け筒２の固定板２８と反対側の位置において受け筒２の中央部には、上記の嵌合受け部材５より下側で且つ上動規制部１６より上側の位置に、図３（ａ）に示すように係合用孔１１が穿設してある。この係合用孔１１は受け筒２と規制筒３１を通して形成されるものであり、受け筒２の内外に開口するように形成されるものである。さらにこの係合用孔１１を挟む上下の各位置には軸支筒３２が溶接等で固定してある。
【００２８】
図１において３４は円柱状の固定ボスであり、固定ボス３４の下面の中央部に円柱棒状の軸３５が一体に下方へ突設してある。嵌合部材９は上記の嵌合受け部材５と同じ径の円筒形に形成されるものであり、軸３５に被挿して固定ボス３４の下面に固着してある。嵌合部材９の下面には凸部７と凹部８が設けてある。凸部７と凹部８は、嵌合部材９の周方向に沿って凸部７と凹部８が交互に繰り返すように、嵌合受け部材５の凹部３と凸部４と同じ個数で複数ずつ設けられているものであり（図２（ｂ）参照）、凸部７と凹部８の側面は鉛直面に形成してある。
【００２９】
そして軸３５を嵌合受け部材５の通し孔３０に通して受け筒２に差し込むと共に嵌合部材９を嵌合受け部材５の上側において受け筒２の上端部内に差し込むことによって、受け筒２内に挿着するようにしてあり、嵌合部材９は軸３５とともに受け筒２内を上下動自在で且つ水平方向に回動自在になっている。ここで、嵌合部材９の凸部７は嵌合受け部材５の凹部３とほぼ同じ大きさに、嵌合部材９の凹部８は嵌合受け部材５の凸部４とほぼ同じ大きさに形成してあり、嵌合部材９を下動させることによって、図２（ｂ）のように嵌合受け部材５の凹部３と凸部４に嵌合部材９の凸部７と凹部８を嵌合させることができ、また嵌合部材９を上動させることによって、嵌合受け部材５の凹部３と凸部４から嵌合部材９の凸部７と凹部８の嵌合を外すことができるようにしてある。そして嵌合受け部材５の凹部３と凸部４や、嵌合部材９の凸部７と凹部８は４５°の位相角度で形成してあるので、嵌合受け部材５に対して嵌合部材９を４５°毎に回動させた状態で嵌合させることができるものである。
【００３０】
係合具１０は図４（ａ）（ｂ）に示すように、上面が開口する有底円筒形に形成されるものであり、その外径を規制筒３１の内径にほぼ等しく形成してある。係合具１０の底面の中央には固定孔３７が穿設してあり、内周の一箇所に縦に突状のキー３８が形成してある。また係合具１０の下端の外周の一箇所には係止片１９が外方へ張り出して設けてあり、係止片１９の張り出しの寸法は規制筒３１の厚みとほぼ等しく形成してある。上記の軸３５の下端面にはねじ穴３９が凹設してあり、軸３５の下端部の側面にはキー溝４０が凹設してある。そして図１に示すように、係合具１０を軸３５の下端に被挿して嵌め込み、固定孔３７を通したボルト４１をねじ穴３９に螺合することによって、係合具１０を軸３５の下端に固定するようにしてある。このとき、軸３５のキー溝４０に対するキー３８の係合によって、係合具１０が軸３５の外周回りに空転しないようにしてある。
【００３１】
操作レバー１２は図４（ｃ）に示すように、円弧状に湾曲した水平断面形状のレバー本体４２の凹面となった内側の中央部に軸ボス４３を突設し、軸ボス４３に係合爪１３を一体に突設することによって形成されるものである。そして図２（ａ）のように操作レバー１２を上下の軸支筒３２，３２の間において受け筒２の側面に配置し、軸ボス４３に縦方向に回動軸４５を挿通すると共に回動軸４５の上端部と下端部を上下の各軸支筒３２，３２に挿通することによって、操作レバー１２を回動軸４５を中心にして水平方向に揺動回動自在に取り付けるようにしてある。このとき、操作レバー１２の揺動回動によって係合爪１３の先部が係合用孔１１から受け筒２内に出し入れ自在になっている。また回動軸４５にバネなどで形成される弾性体１４が取り付けてあり、この弾性体１４の一端と他端をそれぞれ操作レバー１２のレバー本体４２の内面と受け筒２の外面に弾接させるようにしてあり、レバー本体４２の一方の側端が受け筒２の外面に当接するように操作レバー１２を弾性体１４で回動付勢するようにしてある。弾性体１４による操作レバー１２の回動付勢方向は、図１（ｂ）のように係合爪１３が受け筒２内に差し込まれる方向に設定されているものである。またレバー本体４２の他方の側端は操作部４４となるものであり、この操作部４４を押して弾性体１４の力に抗して操作レバー１２を回動させることによって、図１（ｃ）のように係合爪１３は受け筒２内から引き出されるようにしてある。
【００３２】
回動柵６はロ字形の一部を欠いた形状にパイプで形成されるものであり、上記の受け筒２の上端から上方へ突出している固定ボス３４の外周に、回動柵６の一端部を嵌合して固定することによって取り付けられるものである。ここで、受け筒２内に挿着された上記の軸３５は、上端の嵌合部材９が受け筒２の上端の内周に沿って、下端の係合具１０が規制筒３１の内周に沿ってそれぞれ回動することによって、受け筒２内を水平方向に回動するものであり、この軸３５によって回動柵６を受け筒２に水平回動自在に支持することができるものである。
【００３３】
上記のように形成される側柵Ｂにあって、図９（ａ）のように固定柵１に対して回動柵６が一直線状になる角度で固定すると、広い範囲でベッドＡの側部を囲うことができ、布団などの脱落防止や、患者の落下防止を行なうことができる。また図９（ｂ）のように固定柵１に対して回動柵６を所定の角度で回動した状態で固定すると、患者がベッドＡに昇り降りする際に回動柵６が邪魔にならないようにすることができ、またベッドＡの昇り降りの際に掴まる手摺りとして回動柵６を利用することができる。
【００３４】
ここで、図１（ａ）（ｂ）は回動柵６を水平回動しないように固定したときの機構部の状態を示すものであり（図１（ａ）において操作レバー１２の図示は省略している）、回動柵６の自重等で嵌合部材９が受け筒２内を下動し、嵌合受け部材５の凹部３と凸部４に嵌合部材９の凸部７と凹部８が嵌合して、嵌合部材９は水平回動することが不能なっている。回動柵６を固定している固定ボス３４は軸３５を介して嵌合部材９と一体であるので、回動柵６を水平回動しない固定状態にすることができるものである。
【００３５】
そしてこのように嵌合受け部材５に嵌合部材９が嵌合する下動状態では、嵌合部材９とともに軸３５も下動した状態にあり、軸３５の下端の係合具１０も下動した位置にある。このように係合具１０が下動した位置では、係合具１０の上端面は受け筒２の係合用孔１１の下端縁とほぼ同一高さになるようにしてあり、図１（ｂ）のように係合用孔１１から受け筒２内に差し込まれている操作レバー１２の係合爪１３の先端部は、図１（ａ）に鎖線で示すように係合具１０の上端面の直上に近接して対向している。ここで、例えば回動柵６を不用意に引き上げる力が作用しても、係合具１０の上端面が操作レバー１２の係合爪１３に係合するので、軸３５や嵌合部材９は上動せず、回動柵６は引き上げられない。従って、嵌合受け部材５の凹部３と凸部４に対する嵌合部材９の凸部７と凹部８の嵌合は外れることはなく、嵌合部材９が水平回動しない状態が保持され、回動柵６が不用意に回動するようなことを防ぐことができるものである。
【００３６】
このように操作レバー１２の係合爪１３の先端部が係合用孔１１から受け筒２内に差し込まれて係合具１０に係合されることによって、回動柵６が不用意に持ち上げられて回動することを防ぐことができるが、操作レバー１２の係合爪１３が係合具１０に係合される状態は、弾性体１４で操作レバー１２が回動付勢されていることによって保持されているものであり、係合具１０に対する係合爪１３の係合状態が不用意に外れることを防ぐことができ、回動柵６が不用意に持ち上げられて回動することを防ぐロック状態を確実に保持することができるものである。
【００３７】
次に、図１（ｃ）（ｄ）は回動柵６を所定の角度に回動させるときの機構部の状態を示すものであり（図１（ｃ）において操作レバー１２の図示は省略している）、まず操作レバー１２の操作部４４を図１（ｄ）の矢印のように押して弾性体１４に抗して操作レバー１２を回動させ、係合爪１３を受け筒２内から引き出し、係合具１０に対する係合爪１３の係合状態を外す。そしてこのように操作レバー１２を回動させた状態を保ったまま、回動柵６を引き上げると、軸３５とともに嵌合部材９が上動し、図１（ｄ）のように嵌合受け部材５の凹部３と凸部４に対する嵌合部材９の凸部７と凹部８の嵌合が外れる。このように嵌合受け部材５に対する嵌合部材９の嵌合を外すことによって、軸３５は嵌合部材９とともに水平回動できる状態になるので、回動柵６を水平に回動することができるものである。
【００３８】
ここで、回動柵６を上動させて嵌合部材９とともに軸３５を上動させると、軸３５の下端の係合具１０の係止片１９の上面は、図１（ｃ）のように規制筒３１の下端部の上動規制部１６の上動規制係止面１５に当接して係止され、軸３５がこれ以上に上動することが規制される。従って、軸３５が受け筒２から抜けたりして回動柵６が受け筒２から脱落することを防ぐことができるものである。また回動柵６を水平回動させる際に、回動柵６の回動に伴なって軸３５及びその下端の係合具１０も水平回動するが、係合具１０の係止片１９の側端面が図２（ｃ）に鎖線で示すように規制筒３１の回動規制部１８の回動規制係止面１７に当接して係止され、これ以上に回動することが規制される。従って、回動柵６の回動角度を所定の範囲（図の実施の形態では１８０°の範囲）に規制することができるものであり、回動柵６を手摺りとして使用できない角度までに回し過ぎるようなことを防ぐことができるものである。
【００３９】
そして上記のようにして回動柵６を所定角度で水平回動させた後に、回動柵６を引き上げる力を解除すると、回動柵６は自重で降下して嵌合部材９が下動し、嵌合受け部材５の凹部３と凸部４に嵌合部材９の凸部７と凹部８が嵌合する図１（ａ）の状態に戻って、回動柵６をこの回動した角度に固定することができるものである。またこのように嵌合部材９とともに軸３５が下動してその下端の係合具１０が係合爪１３の位置よりも下に下がると、弾性体１４による付勢力で操作レバー１２が回動して係合爪１３が係合具１０に係合される状態に復帰する。上記の実施の形態では、嵌合受け部材５に対して嵌合部材９を４５°毎に回動させた状態で嵌合させることができるので、回動柵６は４５°の角度毎に回動させた状態に固定することができるものである。
【００４０】
ここで、上記の実施の形態では、操作レバー１２を横長に形成して受け筒２の軸方向と垂直な横向きに配置し、縦方向の回動軸４５を中心に水平に揺動回動自在にしてある。一方、図５乃至図７の実施の形態では、操作レバー１２を図７のように縦長に形成し、左右両側部に左右に開口する軸孔５０が穿設してある。この操作レバー１２の下端部の背面には係合爪１３が突設してあり、操作レバー１２の上端部の表面側に操作部４４が形成してあると共に、操作レバー１２の上端部の背面側に受け凹部５１が形成してある。また図５のように係合用孔１１の上側において受け筒２の外周面には一対の軸受け片５２が突設してあり、軸受け片５２の上側に保持突起５３が突設してある。そして図５のように、操作レバー１２を受け筒２の軸方向に沿って縦に配置し、コイルバネなどのバネで形成される弾性体１４を保持突起５３と受け凹部５１の間に挟んで保持した状態で、操作レバー１２の左右の軸孔５０と軸受け片５２の軸孔５２ａにボルトで形成される回動軸４５を水平に通してナット５４を螺合することによって、操作レバー１２を受け筒２に取り付けるようにしてある。操作レバー１２は水平な回動軸４５を中心にして、その上端と下端が受け筒２に接近・離間する縦方向に揺動回動自在に、すなわち水平な回動軸４５と垂直な鉛直面で揺動回動自在になっている。
【００４１】
このとき、受け筒２は下端部の係合爪１３が係合用孔１１から受け筒２内に差し込まれる方向に弾性体１４で回動付勢されており、図６のように係合爪１３が係合具１０に係合して、回動柵６が不用意に持ち上げられて回動することを防ぐロック状態が保持されるようにしてある。そしてこのロック状態を解除するには、操作レバー１２の上端部の操作部４４を図６のハ矢印のように押して、弾性体１４に抗して操作レバー１２の下端部をニ矢印のように回動させ、係合爪１３を受け筒２内から引き出して係合具１０に対する係合状態を外すことによって行なうことができるものであり、このように操作レバー１２を回動させた状態を保ったまま、回動柵６を引き上げて水平に回動することができるものである。
【００４２】
このように図５乃至図７の実施の形態では、操作レバー１２を受け筒２の軸方向に沿って縦に配置すると共に縦方向に揺動回動自在にしてある。従って、操作レバー１２は縦長に形成されるものであって、操作レバー１２の横幅は受け筒２の直径と同程度かそれよりも小さく形成することができ、操作レバー１２が受け筒２の側方へ大きく突出するというようなことがなくなるものである。このため、電動ベッドのようにベッド本体部２２の一部が起立するように回動するベッドＡにおいて、ベッド本体部２２の可動部２２ａが起立回動する際に、可動部２２ａの側端が操作レバー１２の端部に接触するようなことがなくなり、操作レバー１２が押されてロックが解除されるようなことがなくなるものである。また操作レバー１２の操作は縦方向に揺動回動させることによって行なうことができるものであり、操作に左右勝手ができない。従って、本発明に係る角度可変回動柵を側柵ＢとしてベッドＡの右側に取り付ける場合でも左側に取り付ける場合でも操作性が悪くなるようなことがなく、操作レバー１２の操作を良好に行なうことができるものである。尚、操作レバー１２を回動付勢させる弾性体１４として、図１や図５の実施の形態ではバネを用いるようにしているが、操作レバー１４に回動付勢力を与えることができるものであれば、弾性体１４としてはバネに限らず何でもよいのはいうまでもない。
【００４３】
本発明に係る角度可変回動柵は、上記の実施形態のようなベッドＡの側柵Ｂに利用される他に、水平回動させるゲートなど、可動柵を引き上げて回動させると共に降ろすことによって所定角度で固定するようにした各種の装置の機構に利用することが可能である。
【図面の簡単な説明】
【００４４】
【図１】本発明の実施の形態の一例の一部を示すものであり、（ａ）は回動柵を回動させない固定状態を示す一部破断した正面断面図、（ｂ）は（ａ）のイ−イ線部分の断面図、（ｃ）は回動柵を回動させることができる解除状態を示す一部破断した正面断面図、（ｄ）は（ｃ）のロ−ロ線部分の断面図である。
【図２】（ａ）は同上の受け筒部分の正面図、（ｂ）は図１（ａ）のハ−ハ線部分の嵌合受け部材と嵌合部材の断面図、（ｃ）は図１（ａ）のニ−ニ線部分の断面図である。
【図３】（ａ）は同上の受け筒の正面断面図、（ｂ）は同上の受け筒部分の平面図、（ｃ）は受け筒部分の底面図である。
【図４】（ａ）は係合具の平面図、（ｂ）は係合具の正面断面図、（ｃ）は操作レバーの平面図である。
【図５】本発明の他の実施の形態の一例を示す一部の分解斜視図である。
【図６】同上の一部の断面図である。
【図７】同上の操作レバーを示すものであり、（ａ）は正面図、（ｂ）は側断面図、（ｃ）は背面図である。
【図８】側柵の全体を示す正面図である。
【図９】（ａ），（ｂ）はそれぞれベッドに側柵を取り付けた状態の斜視図である。
【符号の説明】
【００４５】
１  固定柵
２  受け筒
３  凹部
４  凸部
５  嵌合受け部材
６  回動柵
７  凸部
８  凹部
９  嵌合部材
１０  係合具
１１  係合用孔
１２  操作レバー
１３  係合爪
１４  弾性体
１５  上動規制係止面
１６  上動規制部
１７  回動規制係止面
１８  回動規制部
１９  係止片
【図１】
2006021015.tif 000003
【図２】
2006021015.tif 000004
【図３】
2006021015.tif 000005
【図４】
2006021015.tif 000006
【図５】
2006021015.tif 000007
【図６】
2006021015.tif 000008
【図７】
2006021015.tif 000009
【図８】
2006021015.tif 000010
【図９】
2006021015.tif 000011